(57)【要約】【課題】画像データに任意の属性情報を容易かつ迅速に付加することができる携帯可能なフォトアルバムコントローラを提供することを目的とする。【解決手段】フォトアルバムコントローラ１は、画像データＩＤと文字情報を表示する表示画面３を備え、表示画面３には、客観的属性情報窓１０３ａと主観的属性情報窓１０３ｂとが左右に並べて表示され、さらにユーザタグ表示窓１０３ｃ、推薦タグ表示窓１０２ｂ、または５０音表窓１０２ａが表示される。ユーザは、主観的属性情報窓１０３ｂに表示された属性情報と任意の単語を関連付けるために、ユーザタグ表示窓１０３ｃ、推薦タグ表示窓１０２ｂ、または５０音表窓１０２ａから所望する単語を選択して客観的属性情報窓１０３ａに入力する。これにより、ユーザは、所定の画像データＩＤに対して容易かつ迅速に任意の単語を属性情報として付加することができる。【選択図】図７
2010237722.tif 000002
【特許請求の範囲】
【請求項１】
画像データが入力される画像入力手段と、前記画像データを蓄積する画像データベース部と、前記画像データを表示する表示手段と、ユーザによって文字情報または操作命令が入力される入力手段と、装置全体を制御するＭＰＵ（Ｍｉｃｒｏ  Ｐｒｏｃｅｓｓｉｎｇ  Ｕｎｉｔ）と、装置全体を制御する制御プログラムを記憶する主記憶部と、を備えたフォトアルバムコントローラにおいて、
複数の単語をタグとして記憶するタグ辞書部を備え、
前記タグ辞書部は、ユーザによって入力された前記文字情報をユーザタグとして記憶するユーザタグ辞書部を備え、
前記画像データベース部は、前記画像データと該画像データの属性情報とを関連付けて記憶し、
前記表示手段は、前記画像データを表示する画像データ表示窓、前記属性情報を表示する属性情報表示窓、前記ユーザタグを表示するユーザタグ表示窓を表示し、
前記ＭＰＵは、前記表示手段に前記属性情報表示窓と前記ユーザタグ表示窓が表示されているとき、ユーザから前記入力手段に前記操作命令が入力されることによって、該属性情報表示窓に表示されている前記属性情報と、該ユーザタグ表示窓に表示されている前記ユーザタグとが関連付けられたことに応じて、前記画像データベース部に該ユーザタグを該属性情報として新たに記憶させることを特徴としたフォトアルバムコントローラ。
【請求項２】
前記タグ辞書部は、予め設定された複数の単語を推薦タグとして記憶する推薦タグ辞書部を備え、
前記表示手段は、前記推薦タグを表示する推薦タグ表示窓を表示し、
前記ＭＰＵは、前記表示手段に前記属性情報表示窓と前記推薦タグ表示窓が表示されているとき、ユーザから前記入力手段に前記操作命令が入力されることによって、該属性情報表示窓に表示されている前記属性情報と、該推薦タグ表示窓に表示されている前記推薦タグとが関連付けられたことに応じて、前記画像データベース部に該推薦タグを該属性情報として新たに記憶させることを特徴とした請求項１に記載のフォトアルバムコントローラ。
【請求項３】
前記表示手段は、複数の該推薦タグまたは該ユーザタグを前記推薦タグ表示窓またはユーザタグ表示窓にユーザによって選択された選択頻度順に表示し、ひらがな、アルファベット、または記号が表示される配列表窓を表示し、
前記入力手段は、ユーザによって前記配列表窓に表示された所定の文字または記号が選択されることによって前記文字情報が入力されることを特徴とした請求項１または請求項２に記載のフォトアルバムコントローラ。
【請求項４】
前記画像データベース部は、前記画像データ及び前記属性情報が記憶されているフォルダ名を保持し、
前記表示手段は、前記画像データを検索するために、ユーザによって前記ユーザタグ、前記推薦タグ、前記フォルダ名、または前記属性情報が検索キーとして入力される検索窓を表示し、
前記ＭＰＵは、前記表示手段に表示されている前記検索窓に前記検索キーが入力されたことに応じて、前記画像データベース部に記憶されている前記画像データの中から、該検索キーを前記属性情報とする該画像データを検索することを特徴とする請求項１乃至請求項３のいずれか一項に記載のフォトアルバムコントローラ。
【請求項５】
コンピュータに画像データを記憶させ、該画像データに任意の属性情報を付加することができるフォトアルバムコントロールプログラムにおいて、
前記画像データが入力される画像入力ステップと、
前記画像データをモニターに表示させる表示ステップと、
前記画像データを蓄積するための領域を画像データベース部として記憶装置に作成するステップと、
ユーザによって入力手段を介して文字情報または操作命令が入力される入力ステップと、
ユーザによって入力された前記文字情報をユーザタグとして記憶するユーザタグ辞書部と、予め設定された複数の単語を推薦タグとして記憶する推薦タグ辞書部とを備えた領域をタグ辞書部として前記記憶装置に作成するステップと、
前記画像データベース部に、前記画像データと該画像データの属性情報とを関連付けて記憶させ、該画像データ及び該属性情報が記憶されているフォルダ名を保持させるステップと、
前記モニターに前記画像データを表示する画像データ表示窓、前記属性情報を表示する属性情報表示窓、前記ユーザタグを表示するユーザタグ表示窓を表示させるステップと、
前記モニターに前記属性情報表示窓と前記ユーザタグ表示窓が表示されているとき、ユーザから前記入力手段に前記操作命令が入力されることによって、該属性情報表示窓に表示されている前記属性情報と、該ユーザタグ表示窓に表示されている前記ユーザタグとが関連付けられたことに応じて、前記画像データベース部に該ユーザタグを該属性情報として新たに記憶させるステップと、
前記モニターに前記推薦タグを表示する推薦タグ表示窓を表示させるステップと、
前記モニターに前記属性情報表示窓と前記推薦タグ表示窓が表示されているとき、ユーザから前記入力手段に前記操作命令が入力されることによって、該属性情報表示窓に表示されている前記属性情報と、該推薦タグ表示窓に表示されている前記推薦タグとが関連付けられたことに応じて、前記画像データベース部に該推薦タグを該属性情報として新たに記憶させるステップと、
前記モニターに複数の該推薦タグまたは該ユーザタグを前記推薦タグ表示窓またはユーザタグ表示窓にユーザによって選択された選択頻度順に表示し、ひらがな、アルファベット、または記号が表示される配列表窓を表示させるステップと、
ユーザによって前記配列表窓に表示された所定の文字または記号が選択されることによって前記文字情報が入力されるステップと、
前記画像データを検索するために、ユーザによって前記ユーザタグ、前記推薦タグ、前記フォルダ名、または前記属性情報が検索キーとして入力される検索窓を前記モニターに表示させるステップと、
前記検索窓に前記検索キーが入力されたことに応じて、前記画像データベース部に記憶されている前記画像データの中から、該検索キーを前記属性情報とする該画像データを検索するステップと、をコンピュータに実行させることを特徴とするフォトアルバムコントロールプログラム。
【発明の詳細な説明】
【技術分野】
【０００１】
本発明は、画像データと画像データの属性情報を記憶し、ユーザによって任意の属性情報が記憶した画像データに対して容易かつ迅速に付加され、さらには、属性情報に基づいて画像データが容易に検索されるフォトアルバムコントローラに関する。
【背景技術】
【０００２】
近年、高精細のデジタルカメラと大型テレビの普及により、デジタルカメラで撮影した画像データを大型テレビで鑑賞するユーザが増加している。デジタルカメラの普及に伴い、ユーザは大量の画像データを保持するようになった。そこで、ユーザは、パソコンを用いて各画像データに任意の属性情報を付加することによって、大量の画像データを整理している。しかし、パソコンを所有しないユーザやパソコン操作が苦手なユーザは、画像データに任意の属性情報を容易かつ迅速に付加することができなかった。また、外出先でユーザが画像データに属性情報を付加し、または画像データを鑑賞するためには、パソコンを持ち歩かなければならなかった。
【０００３】
そこで、例えば、家庭用テレビに画像データを表示することができる電子アルバム装置が知られている（例えば、特許文献１参照）。また、光ディスクに記憶した画像データをテレビに出力する電子アルバム装置が知られている（例えば、特許文献２参照）。また、画面に画像データを表示し、さらにユーザから受け付けるための命令をポップアップメニューで表示する電子アルバム装置が知られている（例えば、特許文献３参照）。また、画像データのサイズ及び解像度を変化させて画面に表示させることができる静止画表示方法が知られている（例えば、特許文献４参照）。また、地図データを保持し、ユーザによって画像データが撮影された位置が地図データ上で指定されることにより、撮影された画像データと撮影された位置とを関連付けて記憶することができる電子アルバム検索システムが知られている（例えば、特許文献５参照）。さらに、被写体に各種情報が記録された無線タグを取り付け、撮影された被写体の画像データに、無線タグから受信した各種情報を付加することによって、各種情報に基づいて容易に画像データを検索することができる画像撮影方法が知られている（例えば、特許文献６参照）。
【０００４】
しかしながら、特許文献１及び特許文献２に示される技術においては、パソコンを用いることなく画像データをテレビに表示することができるが、画像データに任意の属性情報を容易かつ迅速に付加することができなかった。また、特許文献３に示される技術においては、ユーザは、ポップアップメニューの中から所望する命令を選択することができるが、画像データに任意の属性情報を容易かつ迅速に付加することができなかった。また、特許文献４に示される技術においては、画像データのサイズ及び解像度を変化させて画面に表示させるものであり、画像データに対して任意の属性情報を付加するものではない。また、特許文献５に示される技術においては、予め地図データを備えなければならないため、システム構築コストが高くなるという問題が生じていた。さらに、ユーザは、撮影するとき、地図データ上に撮影位置を入力しなければならないため、撮影作業が煩雑になるという問題が生じていた。さらに、特許文献６に示される技術においては、ユーザは、撮影に際して予め無線タグを用意しなければならないため、撮影準備に手間がかかる上、撮影するためのシステム構成が複雑になるという問題が生じていた。
【特許文献１】特開平７−８７４３２号公報
【特許文献２】特開平７−２８２０７７号公報
【特許文献３】特開２０００−６６７９４号公報
【特許文献４】特開平７−１８２３６６号公報
【特許文献５】特開２００２−２５９３８９号公報
【特許文献６】特開２００４−７０７１７号公報
【発明の開示】
【発明が解決しようとする課題】
【０００５】
本発明は、上記の問題を解決するためになされたものであり、パソコンを所有しないユーザやパソコン操作が苦手なユーザであっても画像データに任意の属性情報を容易かつ迅速に付加することができ、外出先であっても画像データを鑑賞することができる携帯可能なフォトアルバムコントローラを提供することを目的とする。
【課題を解決するための手段】
【０００６】
上記目的を達成するために請求項１の発明は、画像データが入力される画像入力手段と、画像データを蓄積する画像データベース部と、画像データを表示する表示手段と、ユーザによって文字情報または操作命令が入力される入力手段と、装置全体を制御するＭＰＵと、装置全体を制御する制御プログラムを記憶する主記憶部と、を備えたフォトアルバムコントローラにおいて、複数の単語をタグとして記憶するタグ辞書部を備え、タグ辞書部は、ユーザによって入力された文字情報をユーザタグとして記憶するユーザタグ辞書部を備え、画像データベース部は、画像データと画像データの属性情報とを関連付けて記憶し、表示手段は、画像データを表示する画像データ表示窓、属性情報を表示する属性情報表示窓、ユーザタグを表示するユーザタグ表示窓を表示し、ＭＰＵは、表示手段に属性情報表示窓とユーザタグ表示窓が表示されているとき、ユーザから入力手段に操作命令が入力されることによって、属性情報表示窓に表示されている属性情報と、ユーザタグ表示窓に表示されているユーザタグとが関連付けられたことに応じて、画像データベース部にユーザタグを属性情報として新たに記憶させるようにしたものである。
【０００７】
また、請求項２の発明は、請求項１のフォトアルバムコントローラにおいて、タグ辞書部は、予め設定された複数の単語を推薦タグとして記憶する推薦タグ辞書部を備え、表示手段は、推薦タグを表示する推薦タグ表示窓を表示し、ＭＰＵは、表示手段に属性情報表示窓と推薦タグ表示窓が表示されているとき、ユーザから入力手段に操作命令が入力されることによって、属性情報表示窓に表示されている属性情報と、推薦タグ表示窓に表示されている推薦タグとが関連付けられたことに応じて、画像データベース部に推薦タグを属性情報として新たに記憶させるようにしたものである。
【０００８】
また、請求項３の発明は、請求項１または請求項２のフォトアルバムコントローラにおいて、表示手段は、複数の推薦タグまたはユーザタグを推薦タグ表示窓またはユーザタグ表示窓にユーザによって選択された選択頻度順に表示し、ひらがな、アルファベット、または記号が表示される配列表窓を表示し、入力手段は、ユーザによって配列表窓に表示された所定の文字または記号が選択されることによって文字情報が入力されるようにしたものである。
【０００９】
また、請求項４の発明は、請求項１乃至請求項３のいずれかのフォトアルバムコントローラにおいて、画像データベース部は、画像データ及び属性情報が記憶されているフォルダ名を保持し、表示手段は、画像データを検索するために、ユーザによってユーザタグ、推薦タグ、フォルダ名、または属性情報が検索キーとして入力される検索窓を表示し、ＭＰＵは、表示手段に表示されている検索窓に検索キーが入力されたことに応じて、画像データベース部に記憶されている画像データの中から、検索キーを属性情報とする画像データを検索するようにしたものである。
【００１０】
また、請求項５の発明は、コンピュータに画像データを記憶させ、該画像データに任意の属性情報を付加することができるフォトアルバムコントロールプログラムにおいて、画像データが入力される画像入力ステップと、画像データをモニターに表示させる表示ステップと、画像データを蓄積するための領域を画像データベース部として記憶装置に作成するステップと、ユーザによって入力手段を介して文字情報または操作命令が入力される入力ステップと、ユーザによって入力された文字情報をユーザタグとして記憶するユーザタグ辞書部と、予め設定された複数の単語を推薦タグとして記憶する推薦タグ辞書部とを備えた領域をタグ辞書部として記憶装置に作成するステップと、画像データベース部に、画像データと画像データの属性情報とを関連付けて記憶させ、画像データ及び属性情報が記憶されているフォルダ名を保持させるステップと、モニターに画像データを表示する画像データ表示窓、属性情報を表示する属性情報表示窓、ユーザタグを表示するユーザタグ表示窓を表示させるステップと、モニターに属性情報表示窓とユーザタグ表示窓が表示されているとき、ユーザから入力手段に操作命令が入力されることによって、属性情報表示窓に表示されている属性情報と、ユーザタグ表示窓に表示されているユーザタグとが関連付けられたことに応じて、画像データベース部にユーザタグを属性情報として新たに記憶させるステップと、モニターに推薦タグを表示する推薦タグ表示窓を表示させるステップと、モニターに属性情報表示窓と推薦タグ表示窓が表示されているとき、ユーザから入力手段に操作命令が入力されることによって、属性情報表示窓に表示されている属性情報と、推薦タグ表示窓に表示されている推薦タグとが関連付けられたことに応じて、画像データベース部に推薦タグを属性情報として新たに記憶させるステップと、モニターに複数の推薦タグまたはユーザタグを推薦タグ表示窓またはユーザタグ表示窓にユーザによって選択された選択頻度順に表示し、ひらがな、アルファベット、または記号が表示される配列表窓を表示させるステップと、ユーザによって配列表窓に表示された所定の文字または記号が選択されることによって文字情報が入力されるステップと、画像データを検索するために、ユーザによってユーザタグ、推薦タグ、フォルダ名、または属性情報が検索キーとして入力される検索窓をモニターに表示させるステップと、検索窓に検索キーが入力されたことに応じて、画像データベース部に記憶されている画像データの中から、検索キーを属性情報とする画像データを検索するステップとをコンピュータに実行させるようにしたものである。
【発明の効果】
【００１１】
請求項１の発明によれば、ＭＰＵは、ユーザによって属性情報表示窓に表示されている属性情報とユーザタグとが関連付けられたことに応じて、画像データベース部にユーザタグを属性情報として新たに記憶させる。これにより、ユーザは、パソコンを用いることなく画像データに任意の単語を属性情報として容易かつ迅速に付加することができる。
【００１２】
請求項２の発明によれば、タグ辞書部は、予め設定された複数の単語を推薦タグとして記憶する。ユーザは、所定の画像データの属性情報と推薦タグとを関連付けることにより、画像データベース部に推薦タグを属性情報として記憶させることができる。これにより、ユーザは、入力手段に文字列を入力することなく、画像データに任意の属性情報を容易かつ迅速に付加することができる。
【００１３】
請求項３の発明によれば、表示手段は、推薦タグまたはユーザタグは、選択頻度順に推薦タグ表示窓またはユーザタグ表示窓に表示する。これにより、ユーザは、迅速に所望する推薦タグまたはユーザタグを選択することができる。また、ユーザは、表示部に表示された配列表窓の中から、所定の文字または記号を選択することによって、新たに文字列を入力することができる。
【００１４】
請求項４の発明によれば、表示手段は、検索キーが入力される検索窓を表示する。ユーザは、検索窓に検索キーとしてユーザタグ、推薦タグ、フォルダ名、または属性情報を入力することにより、容易に所望する画像データを検索することができる。
【００１５】
請求項５の発明によれば、フォトアルバムコントロールプログラムは、様々な種類のコンピュータや携帯用端末において実行され、画像データベース部とタグ辞書部は、ハードディスクや半導体メモリなどの記憶装置に作成される。これにより、ユーザは、好みのコンピュータや携帯用端末を用いて画像データに任意の単語を属性情報として容易かつ迅速に付加することができ、さらに、検索窓に検索キーとして属性情報を入力することにより、容易に所望する画像データを検索することができる。
【発明を実施するための最良の形態】
【００１６】
以下、本発明の実施形態に係るフォトアルバムコントローラについて、図面を参照して説明する。図１は、本発明の実施形態に係るフォトアルバムコントローラの外観を示す。フォトアルバムコントローラ１は、略直方体形状の筐体２の一面に液晶画面によって構成され画像データＩＤを表示する表示画面３（表示手段）と、筐体２の右側面にフォトアルバムコントローラ１に電源を供給する電源スイッチボタン４と、外部装置５から画像データＩＤが入力される画像入力端子６と、画像データＩＤが記憶されているメモリカード７が挿入されるメモリカード端子８とを備え、筐体２の左側面に外部機器Ｍと接続するＵＳＢケーブルが挿入されるＵＳＢ端子９及びＵＳＢ端子１０と、外部機器Ｍと通信するためのＬＡＮケーブルや電話回線が接続される通信線端子１１とを備え、筐体２の上部側面に外部機器Ｍに画像データを出力する外部画像出力端子１２を備える。ここで、表示画面３は、タッチパネル１３（入力手段）として動作するように構成されており、ユーザは、表示画面３に表示されたコマンドを指やスタイラスペンで選択することによりフォトアルバムコントローラ１に命令を入力することができる。また、外部装置５とは、例えば、デジタルカメラであり、外部機器Ｍとは、例えば、テレビ、パソコンまたはプロジェクタなどである。また、表示画面３は、例えば、官製はがきやＢ５ノートと同等の大きさに構成されており、フォトアルバムコントローラ１はユーザによって携帯されることができる。
【００１７】
表示画面３は、画面の下方にユーザからの命令が入力されるためのコマンドを表示する基本操作窓１０１を、画面の左半分に主に画像データＩＤを表示する画像データ表示窓１０２を、画面の右半分に主に画像データＩＤの属性情報を表示する属性情報表示窓１０３を表示する。ここで、基本操作窓１０１には、複数のコマンドが表示される。また、属性情報表示窓１０３に表示される属性情報とは、例えば、画像データＩＤが撮影された日時や場所、画像データＩＤのファイル名、ファイル形式または容量などである。
【００１８】
図２は、本実施形態に係るフォトアルバムコントローラ１の構成を示す。フォトアルバムコントローラ１は、装置全体を制御するＭＰＵ１４と、装置全体を制御する制御プログラムを記憶する主記憶部１５と、表示画面３を制御する表示部１６と、タッチパネル１３を制御する入力部１７と、画像入力端子６及びメモリカード端子８を制御する入力制御部１８と、画像データＩＤを記憶するデータ蓄積部１９と、ＵＳＢ端子９及びＵＳＢ端子１０を制御するＵＳＢ制御部２０と、通信線端子１１を制御する通信制御部２１と、外部画像出力端子１２を制御する外部出力制御部２２と、フォトアルバムコントローラ１の電源を制御する電源制御部Ｄを備え、これらはバス２３に接続されている。
【００１９】
表示部１６は、表示画面３と表示画面３を制御する表示画面制御部２４を備え、入力部１７は、タッチパネル１３とタッチパネル１３を制御するタッチパネル制御部２５を備え、入力制御部１８は、画像入力端子６を制御する画像入力制御部２６とメモリカード端子８を制御するメモリカード制御部２７を備え、データ蓄積部１９は、画像データＩＤと画像データＩＤの属性情報を記憶する画像データ部２８と複数の単語をタグとして記憶するタグ辞書部２９を備える。画像データ部２８は、画像データＩＤを記憶する画像データベース２８ａと画像データＩＤの属性情報を記憶する属性情報データベース２８ｂを保持する。タグ辞書部２９は、ユーザによって入力された単語をユーザタグとして記憶するユーザタグ辞書部２９ａと、予め設定された複数の単語を推薦タグとして記憶する推薦タグ辞書部２９ｂとを保持する。ここで、推薦タグ辞書部２９ｂは、カテゴリー毎に複数の推薦タグを記憶している。
【００２０】
画像データＩＤは、属性情報とともに画像入力端子６またはメモリカード端子８からフォトアルバムコントローラ１に取り込まれ、取り込まれた画像データＩＤは画像データベース２８ａに、取り込まれた属性情報は属性情報データベース２８ｂに記憶される。ここで、取り込まれる属性情報とは、例えば、デジタルカメラ５が備えるＥｘｉｆ（Ｅｘｃｈａｎｇｅａｂｌｅ  Ｉｍａｇｅ  Ｆｉｌｅ  Ｆｏｒｍａｔ）機能によって撮影された画像データＩＤに自動的に付与される撮影日時、ファイル番号またはファイル形式などである。ユーザは、タッチパネル１３からコマンドを選択することによって、画像データベース２８ａに記憶されている画像データＩＤを画像データ表示窓１０２に表示する。また、ユーザは、画像データベース２８ａに記憶されている画像データＩＤをＵＳＢ端子９及びＵＳＢ端子１０に接続されたＵＳＢケーブル、または外部画像出力端子１２に接続された専用ケーブルを介してテレビ、パソコンまたはプロジェクタなどの外部機器Ｍに表示させることができる。さらに、ユーザは、画像データベース２８ａに記憶されている画像データＩＤを通信線端子１１に接続されたＬＡＮケーブルや電話回線を介してハードディスクレコーダやパソコンに転送することができる。
【００２１】
図３は、推薦タグ辞書部２９ｂが所定のカテゴリーに関連付けて記憶している推薦タグの例を示す。推薦タグ辞書部２９ｂは、カテゴリー項目ＣＴと推薦タグ項目ＴＧを保持している。推薦タグ辞書部２９ｂは、予めそれぞれのカテゴリー項目ＣＴに関連付けられた推薦タグを記憶している。例えば、推薦タグ辞書部２９ｂは、カテゴリー項目ＣＴ「人間」に関連付けられた推薦タグ項目ＧＴに「アンクル」から「老人」まで１１３種類の推薦タグを記憶している。これより、ユーザは、カテゴリーを特定するだけで、特定したカテゴリーに関する単語を容易に選択することが可能となる。
【００２２】
図４は、フォトアルバムコントローラ１がメモリカード７から画像データＩＤを取り込むときの表示画面３の状態を示す。画像データＩＤが記録されたメモリカード７がメモリカード端子８に挿入され、ユーザによって基本操作窓１０１に表示された「蓄積」が選択されると、表示画面３は、属性情報表示窓１０３にメモリカード７の種別と、ユーザからの命令を受付けるためのボタンＣ１「全部」、ボタンＣ２「フォルダ」、及びボタンＣ３「画像」からなるコマンドと、メモリカード７の記憶容量の状態を示す記憶状態窓Ｍ１と、画像データ部２８の記憶容量の状態を示す記憶状態窓Ｍ２を表示する。記憶状態窓Ｍ１は、例えば、メモリカード７の全記憶容量「１２８ＭＢ」と既に使用されている容量「３６ＭＢ」と、全記憶容量に対する既に使用されている容量の割合を示す円グラフＵ１を表示する。同様に、記憶状態窓Ｍ２は、例えば、画像データ部２８の全記憶容量「１５０ＧＢ」と既に使用されている容量「５０ＧＢ」と、全記憶容量に対する既に使用されている容量の割合を示す円グラフＵ２を表示する。
【００２３】
ユーザは、属性情報表示窓１０３を参照することにより、メモリカード７の種別はＳＤカードであり、メモリカード７は、円グラフＵ１から全記憶容量の１２８ＭＢのうち３６ＭＢが使用されており、画像データ部２８は、円グラフＵ２から全記憶容量の１５０ＧＢのうち５０ＧＢが使用されていることがわかる。ここで、ユーザは、記憶状態窓Ｍ１と記憶状態窓Ｍ２を参照することにより、メモリカード７に記憶されている全ての画像データＩＤを画像データ部２８に記憶させるのか、メモリカード７に記憶されているフォルダの中から、特定のフォルダ内に記憶されている画像データＩＤを画像データ部２８に記憶させるのか、メモリカード７に記憶されている特定の画像データＩＤだけを画像データ部２８に記憶させるのかを決定する目安とすることができる。
【００２４】
ユーザは、メモリカード７に記憶されている全ての画像データＩＤを画像データ部２８に記憶させるとき、ボタンＣ１「全部」を選択し、特定のフォルダ内に記憶されている画像データＩＤを画像データ部２８に記憶させるとき、ボタンＣ２「フォルダ」を選択し、特定の画像データＩＤだけを画像データ部２８に記憶させるとき、ボタンＣ３「画像」を選択する。ここで、ユーザがボタンＣ１「全部」が選択し、その後、ボタンＣ１「全部」を選択したことを確認するために基本操作窓１０１に表示された「確認」を選択し、さらに、基本操作窓１０１に表示された「実行」を選択すると、ＭＰＵ１４は、メモリカード７に記憶されている全ての画像データＩＤを画像データベース２８ａに記憶させる。さらに、ＭＰＵ１４は、メモリカード７に記憶されている全ての画像データＩＤの属性情報を属性情報データベース２８ｂに記憶させる。このとき、画像データＩＤと属性情報は、それぞれ関連付けられて画像データベース２８ａと属性情報データベース２８ｂに記憶される。これにより、ユーザは、メモリカード７に記憶されている画像データＩＤ及び属性情報を容易に画像データ部２８に記憶させることができる。
【００２５】
図５は、フォトアルバムコントローラ１がメモリカード７の特定のフォルダから画像データＩＤを取り込む表示画面３の状態を示す。図５は、図４において、ユーザによってボタンＣ２「フォルダ」が選択されたときの属性情報表示窓１０３を示す。ユーザによってボタンＣ２「フォルダ」が選択されると、表示画面３は、属性情報表示窓１０３にメモリカード７に記憶されているフォルダの番号を一覧表示するフォルダ番号窓ＦＮを表示する。ここで、メモリカード７には、フォルダ番号「１００」からフォルダ番号「１０７」までの８つのフォルダが記憶されているものとする。ユーザがフォルダ番号窓ＦＮに表示されたフォルダ番号の中から、例えば、フォルダ番号「１０５」を選択し、その後、フォルダ番号「１０５」を選択したことを確認するために基本操作窓１０１に表示された「確認」を選択し、さらに、基本操作窓１０１に表示された「実行」を選択すると、ＭＰＵ１４は、メモリカード７に記憶されているフォルダ番号「１０５」内の全ての画像データＩＤを画像データベース２８ａに記憶させる。また、ＭＰＵ１４は、フォルダ番号「１０５」内に記憶されている全ての画像データＩＤの属性情報を属性情報データベース２８ｂに記憶させる。これにより、ユーザは、メモリカード７に記憶されている特定のフォルダ内に記憶されている画像データＩＤ及び属性情報を容易に画像データ部２８に記憶させることができる。
【００２６】
図６は、フォトアルバムコントローラ１がメモリカード７の特定のフォルダから画像データＩＤを取り込む表示画面３の状態を示す。図６は、図４において、ユーザによってボタンＣ３「画像」が選択されたときの属性情報表示窓１０３を示す。ユーザによってボタンＣ３「画像」が選択されると、表示画面３は、属性情報表示窓１０３にメモリカード７に記憶されている画像データＩＤの番号を一覧表示する画像番号窓ＩＮを表示する。ここで、画像番号窓ＩＮには、画像番号「１００１」から画像番号「１０２０」までが表示されているものとする。全ての画像番号が画像番号窓ＩＮに表示されていないとき、ユーザによって基本操作窓１０１に表示された「進む」が選択されると、表示画面３は、画像番号「１０２１」以降の画像番号を画像番号窓ＩＮに表示させる。ここで、ユーザが画像番号窓ＩＮに表示された画像番号の中から、例えば画像番号「１００７」を選択し、その後、画像番号「１００７」を選択したことを確認するために基本操作窓１０１に表示された「確認」を選択し、さらに、基本操作窓１０１に表示された「実行」を選択すると、ＭＰＵ１４は、メモリカード７に記憶されている画像番号「１００７」の画像データＩＤだけを画像データベース２８ａに記憶させる。また、ＭＰＵ１４は、画像番号「１００７」の属性情報を属性情報データベース２８ｂに記憶させる。これにより、ユーザは、メモリカード７に記憶されている特定の画像データＩＤ及び属性情報だけを容易に画像データ部２８に記憶させることができる。
【００２７】
次に、任意の単語が画像データＩＤに対して属性情報として付加される手順について説明する。図７は、画像データＩＤにユーザタグが属性情報として付加されるときの表示画面３の状態を示す。特定の画像データＩＤが選択された後に、ユーザによって基本操作窓１０１に表示された「編集」が選択されると、表示画面３は、属性情報表示窓１０３にＥｘｉｆ機能によって画像データＩＤに付加された属性情報を表示する客観的属性情報窓１０３ａと画像データＩＤに新たに付加される属性情報を表示する主観的属性情報窓１０３ｂとを左右に並べて表示する。さらに、表示画面３は、客観的属性情報窓１０３ａと主観的属性情報窓１０３ｂの下方にユーザタグ辞書部２９ａに記憶されているユーザタグを表示するユーザタグ表示窓１０３ｃを表示する。ここで、ユーザタグは、過去に使用された頻度の高い順にユーザタグ表示窓１０３ｃに表示される。ユーザは、ユーザタグ表示窓１０３ｃに表示されたユーザタグを選択することにより、画像データＩＤにユーザタグを属性情報として付加することができる。例えば、ユーザは、ユーザタグ表示窓１０３ｃからユーザタグ「正月」を選択し、主観的属性情報窓１０３ｂに表示させる。このとき、ユーザは、客観的属性情報窓１０３ａに表示されたフォルダ「１００＿ｐａｎａ」の隣にユーザタグ「正月」を表示させることにより、「１００＿ｐａｎａ」と「正月」を関連付けることができる。ユーザタグ「正月」が主観的属性情報窓１０３ｂに表示されると、属性情報データベース２８ｂは、「１００＿ｐａｎａ」と「正月」を関連付けて記憶する。これにより、ユーザは、Ｅｘｉｆ機能によって自動的に付加される記号「１００＿ｐａｎａ」より画像データＩＤを特定しやすい単語「正月」を属性情報として属性情報データベース２８ｂに記憶させることができる。
【００２８】
図８は、ＭＰＵ１４がユーザタグをユーザタグ表示窓１０３ｃに表示させるユーザタグ表示処理のフローを示す。ユーザによって基本操作窓１０１に表示された「編集」が選択されると、ＭＰＵ１４は、ユーザタグ辞書部２９ａに記憶されているユーザタグを使用された頻度が高い順にソートする（Ｓ１０１）。次に、ＭＰＵ１４は、使用頻度が高いユーザタグから順番に抽出する（Ｓ１０２）。表示画面３は、ＭＰＵ１４によって抽出されたユーザタグをユーザタグ表示窓１０３ｃに表示する（Ｓ１０３）。これにより、ユーザタグは、使用頻度が高い順にユーザタグ表示窓１０３ｃに表示される。表示画面３は、ユーザタグ辞書部２９ａに記憶されている全てのユーザタグをユーザタグ表示窓１０３ｃに表示したか否か、またはユーザによって他の命令が入力されたか否かを判断する（Ｓ１０４）。表示画面３は、全てのユーザタグをユーザタグ表示窓１０３ｃに表示するか、ユーザによって他の命令が入力されるまでユーザタグをユーザタグ表示窓１０３ｃに表示する処理を行い（Ｓ１０４でＮｏ）、全てのユーザタグがユーザタグ表示窓１０３ｃに表示されるか、ユーザによって他の命令が入力されると（Ｓ１０４でＹｅｓ）、ユーザタグ表示処理を終了する。これにより、ユーザは、頻繁に使用するユーザタグをユーザタグ表示窓１０３ｃから容易に選択することが可能となる。
【００２９】
図９は、ユーザによって新たにユーザタグが作成されるときの表示画面３の状態を示す。図７において、さらに、ユーザによって基本操作窓１０１に表示された「編集」が選択されると、表示画面３は、画像データ表示窓１０２の上段にユーザによって選択される５０音と記号を表示する５０音表窓１０２ａ（配列表窓）を表示し、画像データ表示窓１０２の下段に推薦タグを表示する推薦タグ表示窓１０２ｂを表示する。ユーザは、５０音表窓１０２ａから所定の文字を順番に選択することにより任意の単語を作成することができる。ここで、ユーザが、客観的属性情報窓１０３ａに表示されたファイル「ｐ１０３０７４９」に単語「伊勢」を関連付ける場合について説明する。ここで、単語「伊勢」は、ユーザタグ表示窓１０３ｃ及び推薦タグ表示窓１０２ｂに表示されていないため、ユーザは、５０音表窓１０２ａから「い」と「せ」を選択して漢字に変換することにより、ファイル「ｐ１０３０７４９」と「伊勢」を関連付けることができる。このとき、ユーザタグ辞書部２９ａは、ユーザによって作成された単語「伊勢」をユーザタグとして新たに記憶する。次に、ユーザが、客観的属性情報窓１０３ａに表示された日時「２００７．０１．０１」に「平成１９年」を関連付ける場合について説明する。ここで、「平成１９年」は、推薦タグ表示窓１０２ｂに表示されているものとする。推薦タグ表示窓１０２ｂは、推薦タグ辞書部２９ｂに記憶されている推薦タグを使用頻度順に表示し、推薦タグ辞書部２９ｂは、ユーザに使用される可能性が高いと思われる単語を予め複数記憶している。ユーザは、推薦タグ表示窓１０２ｂに表示されている「平成１９年」を選択することにより、客観的属性情報窓１０３ａに表示された日時「２００７．０１．０１」と「平成１９年」を容易に関連付けることができる。
【００３０】
図１０は、ＭＰＵ１４が推薦タグを推薦タグ表示窓１０２ｂに表示させる推薦タグ表示処理のフローを示す。ユーザによって基本操作窓１０１に表示された「編集」が選択されると、ＭＰＵ１４は、ユーザタグをユーザタグ表示窓１０２ｂに表示させるために、推薦タグ辞書部２９ｂから推薦タグを抽出する（Ｓ２０１）。次に、ＭＰＵ１４は、表示画面３は、ＭＰＵ１４によって抽出された推薦タグを推薦タグ表示窓１０２ｂに表示する（Ｓ２０２）。表示画面３は、推薦タグ辞書部２９ｂに記憶されている全ての推薦タグを推薦タグ表示窓１０２ｂに表示したか否か、またはユーザによって他の命令が入力されたか否かを判断する（Ｓ２０３）。表示画面３は、全ての推薦タグを推薦タグ表示窓１０２ｂに表示するか、ユーザによって他の命令が入力されるまで推薦タグを推薦タグ表示窓１０２ｂに表示する処理を行い（Ｓ２０３でＮｏ）、全ての推薦タグが推薦タグ表示窓１０２ｂに表示されるか、ユーザによって他の命令が入力されると（Ｓ２０３でＹｅｓ）、推薦タグ表示処理を終了する。
【００３１】
次に、ユーザによって画像データＩＤに任意の単語が属性情報として付加される属性情報付加処理について説明する。図１１は、ＭＰＵ１４がユーザタグ辞書部２９ａに、新たなユーザタグを記憶させる属性情報付加処理のフローを示す。図７において、ユーザによって基本操作窓１０１に表示された「編集」が選択されると、表示画面３は、属性情報表示窓１０３に客観的属性情報窓１０３ａと（Ｓ３０１）、主観的属性情報窓１０３ｂを表示し（Ｓ３０２）、画像データ表示窓１０２に５０音表窓１０２ａと（Ｓ３０３）、ユーザタグ表示窓１０３ｃを表示する（Ｓ３０４）。ユーザによって主観的属性情報窓１０３ｂの中の所定の項目が選択されると（Ｓ３０５）、ＭＰＵ１４は、ユーザによってユーザタグ表示窓１０３ｃに表示したユーザタグが選択されるのを待つ（Ｓ３０６）。ここで、ユーザは、ユーザタグ表示窓１０３ｃに所望する単語が表示されているとき、この所望する単語を選択する。ステップＳ３０６において、ユーザタグ表示窓１０３ｃに表示されているユーザタグが選択されると（Ｓ３０６でＹｅｓ）、ＭＰＵ１４は、ステップＳ３１１の処理を行う。一方、ステップＳ３０６において、ユーザタグ表示窓１０３ｃに表示されているユーザタグが選択されないとき（Ｓ３０６でＮｏ）、ＭＰＵ１４は、ユーザによって推薦タグ表示窓１０２ｂに表示されている推薦タグが選択されるのを待つ（Ｓ３０７）。
【００３２】
推薦タグ表示窓１０２ｂに表示されている推薦タグが選択されると（Ｓ３０７でＹｅｓ）、ＭＰＵ１４は、ステップＳ３１１の処理を行う。一方、ステップＳ３０７において、推薦タグ表示窓１０２ｂに表示されている推薦タグが選択されないとき（Ｓ３０６でＮｏ）、ユーザによって、５０音表窓１０２ａに表示されている文字が選択されることにより新たにユーザタグが作成されるのを待つ（Ｓ３０８）。ユーザタグが作成されると、表示画面３は、作成されたユーザタグをユーザタグ表示窓１０３ｃに追加表示する（Ｓ３０９）。ユーザによってユーザタグ表示窓１０３ｃに追加表示されたユーザタグが選択されると（Ｓ３１０）、表示画面３は、ユーザによって選択されたユーザタグを主観的属性情報窓１０３ｂの所定の項目に表示する（Ｓ３１１）。また、表示画面３は、ステップＳ３０６またはステップＳ３０７において、ユーザに選択されたユーザタグまたは推薦タグを主観的属性情報窓１０３ｂの所定の項目に表示する（Ｓ３１１）。
【００３３】
次に、主観的属性情報窓１０３ｂに表示されたユーザタグが、ユーザタグ辞書部２９ａに記憶されているとき（Ｓ３１２でＹｅｓ）、ＭＰＵ１４は、ステップＳ３１４の処理を行う。ステップＳ３１２において、主観的属性情報窓１０３ｂに表示されたユーザタグが、ユーザタグ辞書部２９ａに記憶されていないとき（Ｓ３１２でＮｏ）、ＭＰＵ１４は、ユーザタグ辞書部２９ａに、選択されたユーザタグを新たなユーザタグとして記憶させる（Ｓ３１３）。続けて、主観的属性情報窓１０３ｂの中の所定の項目がユーザによって選択されると（Ｓ３１４でＹｅｓ）、ＭＰＵ１４は、ステップＳ３０６からステップＳ３１４の処理を繰り返す。一方、ステップＳ３１４において、ユーザによって、さらに主観的属性情報窓１０３ｂの中の所定の項目が選択されないとき（Ｓ３１４でＮｏ）、ＭＰＵ１４は、属性情報データベース２８ｂに、主観的属性情報窓１０３ｂに入力されたユーザタグまたは推薦タグを新たな属性情報として画像データＩＤと関連付けて記憶させて（Ｓ３１５）、属性情報付加処理を終了する。
【００３４】
次に、画像データベース２８ａから特定の画像データＩＤが検索される場合について説明する。図１２は、ユーザによって画像データＩＤが検索されるときの表示画面３の状態を示す。ユーザによって基本操作窓１０１に表示された「検索」が選択されると、表示画面３は、属性情報表示窓１０３に検索窓１０３ｄを表示する。検索窓１０３ｄには、例えば、ユーザによって検索キーが入力されるフォルダ項目、ファイル項目、及び日時項目が表示される。ユーザは、検索したい画像データＩＤについての属性情報を検索キーとしてフォルダ項目、ファイル項目、または日時項目に入力することにより、画像データベース２８ａに記憶されている大量の画像データＩＤの中から所望する画像データＩＤを容易に検索することができる。ここで、ユーザが、例えば、伊勢で撮影した画像データＩＤを検索したいとすると、ユーザは、検索窓１０３ｄのファイル項目に「伊勢」と入力することによって、属性情報が「伊勢」として関連付けられている画像データＩＤを検索することができる。ここで、検索キーは、検索窓１０３ｄに推薦タグ表示窓１０２ｂまたはユーザタグ表示窓１０３ｃから推薦タグまたはユーザタグが選択されることによって入力されてもよいし、５０音表窓１０２ａから文字が選択されることによって入力されてもよい。
【００３５】
次に、画像データベース２８ａに記憶されている画像データＩＤを外部機器Ｍに出力する場合について説明する。図１３は、ユーザによって画像データＩＤが外部機器Ｍに出力されるときの表示画面３の状態を示す。ユーザによって基本操作窓１０１に表示された「出力」が選択されると、表示画面３は、属性情報表示窓１０３にフォルダ構成窓１０３ｅとユーザからの命令を受付けるためのボタンＣ４「ＵＳＢ１」とボタンＣ５「ＵＳＢ２」を表示する。フォルダ構成窓１０３ｅには、フォルダ項目Ｆ１とファイル項目Ｆ２が表示される。フォルダ項目には、画像データベース２８ａに記憶されているフォルダ名が一覧表示され、ファイル項目Ｆ２には、画像データベース２８ａに記憶されている特定のフォルダ内のファイル名が一覧表示される。ユーザによってボタンＣ４「ＵＳＢ１」またはボタンＣ５「ＵＳＢ２」が選択れることによって、ＭＰＵ１４は、画像データＩＤをＵＳＢ端子９またはＵＳＢ端子１０に接続されている外部機器Ｍに出力する。フォルダ項目Ｆ１には、画像データベース２８ａに記憶されているフォルダ「正月」から「京都旅行」まで５つのフォルダ名が表示されている。ここで、例えば、ユーザによってフォルダ項目Ｆ１に表示されているフォルダ「京都旅行」が選択され、さらにボタンＣ４「ＵＳＢ１」が選択されると、ＭＰＵ１４は、画像データベース２８ａに記憶されているフォルダ「京都旅行」内の全ての画像データＩＤをＵＳＢ端子９に接続されている外部機器Ｍに出力する。このように、ユーザは、画像データベース２８ａに記憶されている画像データＩＤを選択して外部機器Ｍに出力することにより、パソコンを用いることなく容易に画像データＩＤを外部機器Ｍにコピーすることができる。
【００３６】
次に、画像データＩＤをフォトアルバムコントローラ１で閲覧する場合について説明する。図１４は、画像データＩＤを画像データ表示窓１０２に表示させるときの表示画面３の状態を示す。ユーザによって基本操作窓１０１に表示された「閲覧」が選択されると、表示画面３は、属性情報表示窓１０３にフォルダ構成窓１０３ｅを表示する。ユーザによって、フォルダ項目Ｆ１に表示されているフォルダ名が選択されると、選択されたフォルダ内に記憶されている画像データＩＤのファイル名がファイル項目Ｆ２に一覧表示される。ユーザは、ファイル項目Ｆ２に表示されたファイル名を選択することにより、所望する画像データＩＤを容易かつ迅速に画像データ表示窓１０２に表示させることができる。
【００３７】
次に、画像データＩＤをフォトアルバムコントローラ１で閲覧するモードを選択する場合について説明する。図１５は、画像データＩＤを画像データ表示窓１０２に表示させるときのモードが決定されるときの表示画面３の状態を示す。図１４において、例えば、ユーザによって、もう一度基本操作窓１０１に表示された「閲覧」が選択されると、表示画面３は、属性情報表示窓１０３にモード選択窓１０３ｆを表示する。モード選択窓１０３ｆには、モード選択項目ＭＳとファイル項目Ｆ２が表示される。モード選択項目ＭＳには、画像データＩＤを画像データ表示窓１０２に表示させる表示モードが複数表示される。ここで、モード選択項目ＭＳには、表示モードとして「大画面」、「サムネイル画面」、「文字入り画面」、及び「スライドショウ」が表示されている。ユーザによって「大画面」が選択されると、表示画面３は、１枚の画像データＩＤを画像データ表示窓１０２全体に表示し、「サムネイル画面」が選択されると複数の画像データＩＤを一度に画像データ表示窓１０２に表示し、「文字入り画面」が選択されると１枚の画像データＩＤとこの画像データＩＤの属性情報とを同時に画像データ表示窓１０２に表示し、「スライドショウ」が選択されると１枚の画像データＩＤを一定時間ずつ順番に画像データ表示窓１０２に表示する。ユーザは、ファイル項目Ｆ２から閲覧したい画像データＩＤのファイル名を選択し、モード選択項目ＭＳから表示モードを選択することにより、容易に所望する画像データＩＤを目的に応じたモードで閲覧することができる。
【００３８】
次に、所定の属性情報と関連付けられた画像データＩＤをフォトアルバムコントローラ１で閲覧する場合について説明する。図１６は、画像データＩＤを画像データ表示窓１０２に表示させるために、所定の属性情報が入力されるときの表示画面３の状態を示す。図１５において、例えば、ユーザによって、表示モードとして「スライドショウ」が選択された後、もう一度基本操作窓１０１に表示された「検索」が選択されると、表示画面３は、属性情報表示窓１０３にテーマ検索窓１０３ｇとユーザタグ表示窓１０３ｃを表示し、データ表示窓１０２に５０音表窓１０２ａと推薦タグ表示窓１０２ｂを表示する。ユーザは、ユーザタグ表示窓１０３ｃ、５０音表窓１０２ａ、または推薦タグ表示窓１０２ｂを利用して、閲覧したい画像データＩＤの属性情報をテーマ検索窓１０３ｇに入力すると、表示画面３は、入力された属性情報と関連付けられた画像データＩＤを画像データ表示窓１０２に表示する。ここで、画像データ部２８は、属性情報「子供、家族、運動会」と関連付けられた画像データＩＤ１と属性情報「妻、家族、演奏会」と関連付けられた画像データＩＤ２を記憶しているものとする。ユーザは、ユーザタグ表示窓１０３ｃに表示されている「家族」を選択することによってテーマ検索窓１０３ｇに「家族」を入力すると、表示画面３は、属性情報「家族」と関連付けられた画像データＩＤ１及び画像データＩＤ２を一定時間ずつ順番に画像データ表示窓１０２に表示する。このように、ユーザは、テーマ検索窓１０３ｇに複数の画像データＩＤに共通して関連付けられている属性情報を入力することによって、所定の属性情報と関連付けられた画像データＩＤを容易かつ迅速に閲覧することができる。
【００３９】
このように、本実施形態においては、表示画面３が、ユーザタグ表示窓１０３ｃ、推薦タグ表示窓１０２ｂ、または５０音表窓１０２ａを表示することによって、ユーザは、容易かつ迅速に所望するユーザタグ、推薦タグ、または任意の文字列を選択することができる。また、表示画面３は、客観的属性情報窓１０３ａと主観的属性情報窓１０３ｂとを左右に並べて表示することによって、ユーザは、所定の画像データＩＤに対して容易に任意の属性情報を容易に付加することができる。また、表示画面３は、属性情報表示窓１０３に検索窓１０３ｄを表示することによって、ユーザは、検索窓１０３ｄに属性情報を入力することにより、所望する画像データＩＤを容易かつ迅速に検索することができる。さらに、表示画面３は、属性情報表示窓１０３にモード選択窓１０３ｆを表示し、ユーザは、モード選択窓１０３ｆに表示されたモード選択項目ＭＳから表示モードを選択することにより、画像データＩＤを目的に応じたモードで閲覧することができる。
【００４０】
なお、本発明は、上記実施形態の構成に限られず、種々の変形が可能であり、本実施形態の表示画面３は、客観的属性情報窓１０３ａと主観的属性情報窓１０３ｂとを左右に並べて表示させる構成ではなく、例えば、客観的属性情報窓１０３ａと主観的属性情報窓１０３ｂとを上下に並べて表示させる構成であっても構わない。また、検索キーは、ユーザによって検索窓１０３ｄに表示されたフォルダ項目、ファイル項目、または日時項目のいずれか１つに入力される構成ではなく、フォルダ項目、ファイル項目、または日時項目の複数の項目に検索キーが入力される構成であっても構わない。さらに、画像データベース２８ａは、画像データＩＤの他に音楽データや動画データを記憶し、属性情報データベース２８ｂは、画像データベース２８ａに記憶された音楽データや動画データの属性情報を記憶する構成であっても構わない。
【図面の簡単な説明】
【００４１】
【図１】本発明の実施形態に係るフォトアルバムコントローラの外観図。
【図２】本実施形態に係るフォトアルバムコントローラの構成図。
【図３】本実施形態に係る推薦タグ辞書部の記憶状態を示す図。
【図４】本実施形態に係る表示画面の状態を示す図。
【図５】本実施形態に係る表示画面の状態を示す図。
【図６】本実施形態に係る表示画面の状態を示す図。
【図７】本実施形態に係る表示画面の状態を示す図。
【図８】本実施形態に係るＭＰＵがユーザタグをユーザタグ表示窓に表示させるユーザタグ表示処理のフローチャート。
【図９】本実施形態に係る表示画面の状態を示す図。
【図１０】本実施形態に係るＭＰＵが推薦タグを推薦タグ表示窓に表示させる推薦タグ表示処理のフローチャート。
【図１１】本実施形態に係るＭＰＵがユーザタグ辞書部に新たなユーザタグを記憶させる属性情報付加処理のフローチャート。
【図１２】本実施形態に係る表示画面の状態を示す図。
【図１３】本実施形態に係る表示画面の状態を示す図。
【図１４】本実施形態に係る表示画面の状態を示す図。
【図１５】本実施形態に係る表示画面の状態を示す図。
【図１６】本実施形態に係る表示画面の状態を示す図。
【符号の説明】
【００４２】
１  フォトアルバムコントローラ
３  表示画面（表示手段）
１３  タッチパネル（入力手段）
１４  ＭＰＵ
１５  主記憶部
２９  タグ辞書部
２９ａ  ユーザタグ辞書部
２９ｂ  推薦タグ辞書部
１０２  画像データ表示窓
１０２ａ  ５０音表窓（配列表窓）
１０２ｂ  推薦タグ表示窓
１０３  属性情報表示窓
１０３ｃ  ユーザタグ表示窓
１０３ｄ  検索窓
ＩＤ  画像データ
ＩＤ１  画像データ
ＩＤ２  画像データ
【図２】
2010237722.tif 000003
【図３】
2010237722.tif 000004
【図８】
2010237722.tif 000005
【図１０】
2010237722.tif 000006
【図１１】
2010237722.tif 000007
【図１】
2010237722.tif 000008
【図４】
2010237722.tif 000009
【図５】
2010237722.tif 000010
【図６】
2010237722.tif 000011
【図７】
2010237722.tif 000012
【図９】
2010237722.tif 000013
【図１２】
2010237722.tif 000014
【図１３】
2010237722.tif 000015
【図１４】
2010237722.tif 000016
【図１５】
2010237722.tif 000017
【図１６】
2010237722.tif 000018